(57)【要約】【課題】所望の記録先に、コンテンツを確実に記録させる。【解決手段】接続部は、外部記録媒体を識別する媒体識別情報を取得し、記録コントローラは、コンテンツの記録先である外部記録媒体を識別する記録先識別情報を取得し、制御部は、媒体識別情報と記録先識別情報が一致する場合に、コンテンツを外部記録媒体に記録させる。なお、接続部及び記録コントローラに代えて、媒体識別情報及び記録先識別情報のいずれも取得する取得部を設けるようにしてもよい。本開示は、例えば、コンテンツを撮像して記録するデジタルカメラなどに適用することができる。【選択図】図１
2014042085.tif 000002
【特許請求の範囲】
【請求項１】
記録媒体を識別する媒体識別情報と、コンテンツの記録先である記録媒体を識別する記録先識別情報を取得する取得部と、
前記媒体識別情報と前記記録先識別情報が一致する場合に、前記コンテンツを前記記録媒体に記録させる記録制御部と
を含む記録制御装置。
【請求項２】
前記取得部により取得済みの前記媒体識別情報を、前記コンテンツに対応付けられた前記記録先識別情報として、前記記録部に書き込む書き込み部
をさらに含む請求項１に記載の記録制御装置。
【請求項３】
前記書き込み部は、前記取得部により取得済みの前記媒体識別情報を、複数のコンテンツの中から選択されたコンテンツに対応付けられた前記記録先識別情報として、前記記録部に書き込む
請求項２に記載の記録制御装置。
【請求項４】
コンテンツを取得するコンテンツ取得部をさらに含み、
前記書き込み部は、前記取得部により取得済みの前記媒体識別情報のうち、前記コンテンツの取得前に指定された前記媒体識別情報を、前記コンテンツ取得部から取得される前記コンテンツに対応付けられた前記記録先識別情報として、前記記録部に書き込む
請求項２に記載の記録制御装置。
【請求項５】
前記コンテンツ取得部は、被写体の撮像を行うことにより、前記コンテンツを取得する撮像部である
請求項４に記載の記録制御装置。
【請求項６】
前記取得部は、前記記録媒体が接続されたことに対応して、前記記録媒体から前記媒体識別情報を取得する
請求項１に記載の記録制御装置。
【請求項７】
前記取得部は、前記記録媒体を接続可能な接続口であり、前記接続口に前記記録媒体が接続されたことに対応して、前記記録媒体から前記媒体識別情報を取得する
請求項６に記載の記録制御装置。
【請求項８】
前記取得部は、前記記録媒体に設けられた複数のフォルダのうち、前記コンテンツの記録先とされるフォルダを識別するフォルダ識別情報も取得し、
前記記録制御部は、前記媒体識別情報と前記記録先識別情報が一致する場合に、前記コンテンツを、前記フォルダ識別情報により識別されるフォルダに記録させる
請求項１に記載の記録制御装置。
【請求項９】
前記記録制御部は、前記媒体識別情報と前記記録先識別情報が一致する場合に、前記コンテンツを複製して前記記録媒体に記録させる
請求項１に記載の記録制御装置。
【請求項１０】
前記記録制御部は、前記媒体識別情報と前記記録先識別情報が一致する場合に、前記コンテンツを移動して前記記録媒体に記録させる
請求項１に記載の記録制御装置。
【請求項１１】
記録媒体にコンテンツを記録させる記録制御装置の記録制御方法において、
前記記録制御装置による、
記録媒体を識別する媒体識別情報を取得する第１の取得ステップと、
コンテンツの記録先である記録媒体を識別する記録先識別情報を取得する第２の取得ステップと、
前記媒体識別情報と前記記録先識別情報が一致する場合に、前記コンテンツを前記記録媒体に記録させる記録制御ステップと
を含む記録制御方法。
【請求項１２】
コンピュータを、
記録媒体を識別する媒体識別情報を取得することと、コンテンツの記録先である記録媒体を識別する記録先識別情報を取得することを制御する取得制御部と、
前記媒体識別情報と前記記録先識別情報が一致する場合に、前記コンテンツを前記記録媒体に記録させる記録制御部と
して機能させるためのプログラム。
【発明の詳細な説明】
【技術分野】
【０００１】
本開示は、記録制御装置、記録制御方法、及びプログラムに関し、特に、例えば、所望の記録先に、コンテンツを確実に記録させるようにした記録制御装置、記録制御方法、及びプログラムに関する。
【背景技術】
【０００２】
従来、例えば、撮像を行うデジタルカメラ等において、装着された複数の記録媒体の中から、撮像により得られる撮像画像の記録先を決定する記録先決定技術が存在する（例えば特許文献１参照）。
【０００３】
この記録先決定技術では、撮像画像の鮮鋭度等が、予め決められた条件を満たすか否かに基づいて、装着された複数の記録媒体の中から、撮像画像の記録先を決定する。
【０００４】
このため、記録先決定技術によれば、条件を満たす撮像画像と満たさない撮像画像を、それぞれ、別々の記録媒体に記録させることができる。
【先行技術文献】
【特許文献】
【０００５】
【特許文献１】特開２００６−３３２６８号公報
【発明の概要】
【発明が解決しようとする課題】
【０００６】
従来の記録先決定技術では、条件を満たす撮像画像と満たさない撮像画像を、それぞれ、別々の記録媒体に振り分けて記録させることができるものの、そのような振り分けが、必ずしも、ユーザが所望する振り分けであるとは限らない。
【０００７】
本開示は、このような状況に鑑みてなされたものであり、所望の記録先に、コンテンツを確実に記録させるようにするものである。
【課題を解決するための手段】
【０００８】
本開示の一側面の記録制御装置は、記録媒体を識別する媒体識別情報と、コンテンツの記録先である記録媒体を識別する記録先識別情報を取得する取得部と、前記媒体識別情報と前記記録先識別情報が一致する場合に、前記コンテンツを前記記録媒体に記録させる記録制御部とを含む記録制御装置である。
【０００９】
前記取得部により取得済みの前記媒体識別情報を、前記コンテンツに対応付けられた前記記録先識別情報として、前記記録部に書き込む書き込み部をさらに設けることができる。
【００１０】
前記書き込み部は、前記取得部により取得済みの前記媒体識別情報を、複数のコンテンツの中から選択されたコンテンツに対応付けられた前記記録先識別情報として、前記記録部に書き込むことができる。
【００１１】
コンテンツを取得するコンテンツ取得部をさらに設けることができ、前記書き込み部は、前記取得部により取得済みの前記媒体識別情報のうち、前記コンテンツの取得前に指定された前記媒体識別情報を、前記コンテンツ取得部から取得される前記コンテンツに対応付けられた前記記録先識別情報として、前記記録部に書き込むことができる。
【００１２】
前記コンテンツ取得部は、被写体の撮像を行うことにより、前記コンテンツを取得する撮像部とすることができる。
【００１３】
前記取得部は、前記記録媒体が接続されたことに対応して、前記記録媒体から前記媒体識別情報を取得することができる。
【００１４】
前記取得部は、前記記録媒体を接続可能な接続口であり、前記接続口に前記記録媒体が接続されたことに対応して、前記記録媒体から前記媒体識別情報を取得することができる。
【００１５】
前記取得部は、前記記録媒体に設けられた複数のフォルダのうち、前記コンテンツの記録先とされるフォルダを識別するフォルダ識別情報も取得し、前記記録制御部は、前記媒体識別情報と前記記録先識別情報が一致する場合に、前記コンテンツを、前記フォルダ識別情報により識別されるフォルダに記録させることができる。
【００１６】
前記記録制御部は、前記媒体識別情報と前記記録先識別情報が一致する場合に、前記コンテンツを複製して前記記録媒体に記録させることができる。
【００１７】
前記記録制御部は、前記媒体識別情報と前記記録先識別情報が一致する場合に、前記コンテンツを移動して前記記録媒体に記録させることができる。
【００１８】
本開示の一側面の記録制御方法は、記録媒体にコンテンツを記録させる記録制御装置の記録制御方法において、前記記録制御装置による、記録媒体を識別する媒体識別情報を取得する第１の取得ステップと、コンテンツの記録先である記録媒体を識別する記録先識別情報を取得する第２の取得ステップと、前記媒体識別情報と前記記録先識別情報が一致する場合に、前記コンテンツを前記記録媒体に記録させる記録制御ステップとを含む記録制御方法である。
【００１９】
本開示の一側面のプログラムは、コンピュータを、記録媒体を識別する媒体識別情報を取得することと、コンテンツの記録先である記録媒体を識別する記録先識別情報を取得することを制御する取得制御部と、前記媒体識別情報と前記記録先識別情報が一致する場合に、前記コンテンツを前記記録媒体に記録させる記録制御部として機能させるためのプログラムである。
【００２０】
本開示によれば、記録媒体を識別する媒体識別情報が取得されるとともに、コンテンツの記録先である記録媒体を識別する記録先識別情報が取得され、前記媒体識別情報と前記記録先識別情報が一致する場合に、前記コンテンツが前記記録媒体に記録される。
【発明の効果】
【００２１】
本開示によれば、所望の記録先に、コンテンツを確実に記録させることが可能となる。
【図面の簡単な説明】
【００２２】
【図１】第１の実施の形態である記録制御装置の構成例を示すブロック図である。
【図２】記録制御装置が行う記録制御処理を説明するためのフローチャートである。
【図３】第２の実施の形態である撮像装置の構成例を示すブロック図である。
【図４】表示部の表示画面の一例を示す第１の図である。
【図５】表示部の表示画面の一例を示す第２の図である。
【図６】表示部の表示画面の一例を示す第３の図である。
【図７】表示部の表示画面の一例を示す第４の図である。
【図８】表示部の表示画面の一例を示す第５の図である。
【図９】撮像装置が行う記録制御処理を説明するためのフローチャートである。
【図１０】撮像装置が行う第１の記録先決定処理を説明するためのフローチャートである。
【図１１】表示部の表示画面の一例を示す第６の図である。
【図１２】表示部の表示画面の一例を示す第７の図である。
【図１３】撮像装置が行う第２の記録先決定処理を説明するためのフローチャートである。
【図１４】コンピュータの構成例を示すブロック図である。
【発明を実施するための形態】
【００２３】
以下、本開示における実施の形態（以下、実施の形態という）について説明する。なお、説明は以下の順序で行う。
１．第１の実施の形態（コンテンツを外部記録媒体に記録するときの一例）
２．第２の実施の形態（コンテンツに記録先識別情報を対応付けるときの一例）
３．変形例
【００２４】
＜１．第１の実施の形態＞
[記録制御装置１の構成例]
図１は、第１の実施の形態である記録制御装置１の構成例を示している。
【００２５】
なお、この記録制御装置１は、外部記録媒体２を識別する媒体識別情報２aと、記録部２１に記録済みのコンテンツ２１anの記録先を識別する記録先識別情報２１bnが一致する場合に、コンテンツ２１anを、外部記録媒体２に記録させるものである。
【００２６】
ここで、外部記録媒体２としては、例えば、外付けのハードディスクや、メモリカード、USBメモリ等を採用することができる。
【００２７】
記録制御装置１は、例えば、タブレット端末やパーソナルコンピュータなどであり、記録部２１、記録コントローラ２２、制御部２３、操作部２４、及び接続部２５から構成される。
【００２８】
記録部２１は、例えばEEPROM(Electrically Erasable Programmable Read-Only Memory)等の不揮発性のメモリである。記録部２１は、例えば、静止画、動画、楽曲、音声データ、文章データ、又は図形データ等であるコンテンツ２１an、及びコンテンツ２１anに対応付けられた記録先識別情報２１bnを記録する。なお、n=1,2,…,Nとされる。
【００２９】
また、例えば、コンテンツ２１anと記録先識別情報２１bnは、記録部２１において、リストにより管理される。
【００３０】
記録コントローラ２２は、制御部２３からの制御にしたがって、記録部２１から、コンテンツ２１anや記録先識別情報２１bnを読み出し、制御部２３に供給する。
【００３１】
また、記録コントローラ２２は、制御部２３からのコンテンツ２１an及び記録先識別情報２１bnを、記録部２１に記録する（書き込む）。なお、コンテンツ２１an及び記録先識別情報２１bnは、例えば、コンテンツ２１an及び記録先識別情報２１bnが記録された外部記録媒体から、接続部２５及び制御部２３を介して、記録コントローラ２２に供給される。
【００３２】
ここで、記録制御装置１は、図１に示されるように、記録部２１を含む構成としたが、記録部２１を含まない構成とすることができる。この場合、記録制御装置１の記録コントローラ２２は、記録制御装置１の外部に設けられた記録部２１から、コンテンツ２１anの読み出し等を行うこととなる。
【００３３】
制御部２３は、例えば、接続部２５から供給される媒体識別情報２aと、記録コントローラ２２から供給される記録先識別情報２１bnが一致するか否かを判定する。
【００３４】
そして、制御部２３は、外部記録媒体２の媒体識別情報２aと、記録先識別情報２１bnが一致すると判定した場合、記録コントローラ２２及び接続部２５を制御して、記録部２１に記録されているコンテンツ２１anを、外部記録媒体２に記録させる。
【００３５】
操作部２４は、ユーザにより操作される操作ボタン等であり、ユーザに操作されたことに応じて、ユーザの操作に対応する操作信号を、制御部２３に供給する。なお、操作部２４は、例えば、リモートコントローラ等として、記録制御装置１の外部に設けることができる。
【００３６】
また例えば、ユーザは、操作部２４を用いて、外部記録媒体２に対するコンテンツ２１anの記録方法を設定するための操作を行うことができる。
【００３７】
これにより、制御部２３は、操作部２４からの操作信号に基づいて、ユーザに設定された記録方法を判別し、判別した記録方法で、外部記録媒体２にコンテンツ２１anを記録させる。
【００３８】
ここで、記録方法としては、例えば、コンテンツ２１anを記録部２１から外部記録媒体２に移動して記録する第１の記録方法と、記録部２１に記録されているコンテンツ２１anを外部記録媒体２に複製して記録する第２の記録方法が存在する。
【００３９】
したがって、第１の記録方法によれば、制御部２３は、外部記録媒体２の媒体識別情報２aと、記録先識別情報２１bnが一致すると判定した場合、記録部２１に記録されているコンテンツ２１anを移動して、外部記録媒体２に記録させることができる。
【００４０】
また、例えば、第２の記録方法によれば、制御部２３は、外部記録媒体２の媒体識別情報２aと、記録先識別情報２１bnが一致すると判定した場合、記録部２１に記録されているコンテンツ２１anを複製して、外部記録媒体２に記録させることができる。
【００４１】
接続部２５は、例えば、外部記録媒体２を差し込んで接続可能な差込み口（接続口）などであり、接続部２５には、外部記録媒体２が物理的に接続される。なお、接続部２５には、外部記録媒体２として、例えば、USB(Universal Serial Bus)メモリやメモリカードを直接に差し込む他、ケーブル等を介して、外付けのハードディスク等を差し込むことができる。
【００４２】
接続部２５は、制御部２３からの制御にしたがって、接続部２５に接続された外部記録媒体２から、外部記録媒体２の媒体識別情報２aを読み出すことにより取得し、制御部２３に供給する。
【００４３】
また例えば、接続部２５は、制御部２３からの制御にしたがって、制御部２３からのコンテンツ２１anを、外部記録媒体２に記録する（書き込む）。
【００４４】
なお、接続部２５には、外部記録媒体２の他、例えば、接続部２５と無線通信可能な通信装置等も接続することができる。
【００４５】
この場合、接続部２５は、無線通信により通信装置と接続されたことに対応して、通信装置が内蔵する内部記録媒体から、その内部記録媒体を識別する媒体識別情報を読み出したり、コンテンツ２１anを内部記録媒体に書き込むこととなる。
【００４６】
ここで、接続部２５と通信装置との間で行われる無線通信としては、例えば、NFC(Near Field Communication)、TransferJet（登録商標)、Bluetooth（登録商標）、Wi-Fi（登録商標）、3G、又はLTE（Long Term Evolution）(登録商標)等を採用することができる。また、接続部２５は、ケーブル等を介して通信装置と接続することにより、通信を行うようにしてもよい。
【００４７】
さらに、例えば、接続部２５には、インターネット等のネットワーク上のサーバ（例えば、SNS(Social Networking Service)やホームページ等を提供するサーバ）と接続することができる。
【００４８】
この場合、接続部２５は、サーバに接続されたことに対応して、サーバが内蔵する内部記録媒体から、その内部記録媒体を識別する媒体識別情報を読み出したり、コンテンツ２１anを内部記録媒体に書き込むこととなる。
【００４９】
なお、第１の実施の形態では、接続部２５が、外部記録媒体２から、媒体識別情報２aを読み出すことにより取得し、記録コントローラ２２が、記録部２１から、記録先識別情報２１bnを読み出すことにより取得するようにしている。
【００５０】
しかしながら、図１の記録制御装置１において、外部記録媒体２から媒体識別情報２aを、記録部２１から記録先識別情報２１bnをそれぞれ取得して、制御部２３に供給する取得部を設けるようにしてもよい。このことは、図３の撮像装置４１についても同様である。
【００５１】
この場合、記録コントローラ２２による記録先識別情報２１bnの取得、及び接続部２５による媒体識別情報２aの取得は行なわれず、専ら、取得部が、記録先識別情報２１bnの取得、及び媒体識別情報２aの取得を行なうこととなる。
【００５２】
そして、制御部２３は、取得部から供給される媒体識別情報２aと、同じく取得部から供給される記録先識別情報２１bnが一致するか否かを判定する。
【００５３】
制御部２３は、媒体識別情報２aと記録先識別情報２１bnが一致すると判定した場合、記録コントローラ２２及び接続部２５を制御して、記録部２１に記録されているコンテンツ２１anを、外部記録媒体２に記録させる。
【００５４】
[記録制御装置１の動作説明]
次に、図２のフローチャートを参照して、記録制御装置１が行う記録制御処理（以下、第１の記録制御処理という）について説明する。
【００５５】
この第１の記録制御処理は、例えば、外部記録媒体２が、接続部２５に接続されたときに開始される。
【００５６】
このとき、ステップＳ１において、接続部２５は、接続された外部記録媒体２から媒体識別情報２aを読み出すことにより取得し、制御部２３に供給する。
【００５７】
ステップＳ２では、制御部２３は、記録部２１に記録されているコンテンツ２１a1乃至２１aNのうち、所定のコンテンツ２１an（以下、注目コンテンツ２１anという）に注目する。
【００５８】
ステップＳ３では、記録コントローラ２２は、制御部２３からの制御にしたがって、記録部２１から、注目コンテンツ２１anに対応付けられた記録先識別情報２１bnを読み出し、制御部２３に供給する。
【００５９】
ステップＳ４では、制御部２３は、記録コントローラ２２からの記録先識別情報２１bnと、接続部２５からの媒体識別情報２aが一致するか否かを判定し、一致すると判定した場合、処理をステップＳ５に進める。
【００６０】
ステップＳ５では、制御部２３は、記録コントローラ２２及び接続部２５を制御し、記録部２１に記録されている注目コンテンツ２１anを、接続部２５に接続された外部記録媒体２に記録させる。
【００６１】
すなわち、例えば、記録コントローラ２２は、制御部２３からの制御にしたがって、記録部２１から注目コンテンツ２１anを読み出し、制御部２３に供給する。
【００６２】
制御部２３は、記録コントローラ２２からの注目コンテンツ２１anを、接続部２５に供給する。接続部２５は、制御部２３からの制御にしたがって、制御部２３からの注目コンテンツ２１anを、外部記録媒体２に記録する。
【００６３】
また、ステップＳ４において、制御部２３は、記録コントローラ２２からの記録先識別情報２１bnと、接続部２５からの媒体識別情報２aが一致しないと判定した場合、ステップＳ５の処理をスキップして、処理をステップＳ６に進める。
【００６４】
ステップＳ６では、制御部２３は、記録部２１に記録されているコンテンツ２１a1乃至２１aNの全てを注目コンテンツとしたか否かを判定し、全てのコンテンツ２１a1乃至２１aNをまだ注目コンテンツとしていないと判定した場合、処理をステップＳ２に戻す。
【００６５】
そして、ステップＳ２では、制御部２３は、記録部２１に記録されているコンテンツ２１a1乃至２１aNのうち、まだ注目コンテンツとされていないコンテンツ２１an+1を、新たな注目コンテンツ２１an+1とし、処理をステップＳ３に進め、それ以降同様の処理が行われる。
【００６６】
また、ステップＳ６では、制御部２３は、記録部２１に記録されているコンテンツ２１a1乃至２１aNの全てを注目コンテンツとしたと判定した場合、第１の記録制御処理を終了する。
【００６７】
以上説明したように、第１の記録制御処理によれば、制御部２３は、外部記録媒体２の媒体識別情報２aと、注目コンテンツ２１anに対応付けられている記録先識別情報２１bnが一致するか否かを判定するようにした。
【００６８】
そして、制御部２３は、媒体識別情報２aと記録先識別情報２１bnが一致すると判定した場合に、記録部２１に記録されている注目コンテンツ２１anを、外部記録媒体２に記録させるようにした。
【００６９】
このため、記録制御装置１に外部記録媒体２を接続するだけで、記録部２１に記録されている複数のコンテンツ２１a1乃至２１aNのうち、ユーザが所望するコンテンツ２１anを、外部記録媒体２に記録させることが可能となる。
【００７０】
さらに、制御部２３は、媒体識別情報２aと記録先識別情報２１bnが一致するか否かに基づいて、注目コンテンツ２１anの記録先を容易に識別することが可能となる。
【００７１】
また、例えば、第１の記録制御処理によれば、記録制御装置１に外部記録媒体２を接続するだけで、記録部２１のコンテンツ２１anを、外部記録媒体２に記録させることができる。
【００７２】
このため、ユーザは、人物Aから受け取った外部記録媒体２'を、接続部２５に接続するだけで、人物Aに配布したいコンテンツ２１anを、外部記録媒体２'に確実に記録させることができる。
【００７３】
なお、この場合、人物Aに配布したいコンテンツ２１anには、外部記録媒体２'の媒体識別情報２a'と一致する記録先識別情報２１bnが対応付けられているものとする。
【００７４】
＜２．第２の実施の形態＞
[撮像装置４１の構成例]
次に、図３は、第２の実施の形態である撮像装置４１の構成例を示している。
【００７５】
この撮像装置４１は、被写体の撮像を行うとともに、撮像により得られる撮像画像としてのコンテンツ２１anに対応付けられた記録先識別情報２１bnを、記録部２１に記録する点で、図１の記録制御装置１と異なり、それ以外の点については同様である。
【００７６】
また、撮像装置４１としては、例えば、デジタルカメラやスマートフォン（高機能携帯電話）を採用することができるが、撮像装置４１は、被写体の撮像を行う撮像部を有する装置であれば、どのような装置であってもよい。
【００７７】
なお、図３の撮像装置４１では、図１の記録制御装置１と同様に構成される部分について同一の符号を付すようにしているので、それらの説明は、以下、適宜省略する。
【００７８】
すなわち、撮像装置４１において、撮像部６１、コーデック部６２、表示ドライバ６４及び表示部６５が新たに設けられているとともに、図１の制御部２３に代えて制御部６３が設けられている他は、図１の記録制御装置１と同様に構成される。
【００７９】
また、図３において、記録部２１には、コンテンツ２１an及び記録先識別情報２１bnの他、接続部２５に接続された外部記録媒体２の媒体識別情報２aも記録される。
【００８０】
撮像部６１は、被写体の撮像を行い、その撮像により得られる撮像画像を、コーデック部６２に供給する。
【００８１】
すなわち、例えば、撮像部６１は、光学系８１、撮像素子８２、AD(analog to digital)変換部８３、及び信号処理部８４から構成される。
【００８２】
光学系８１は、例えば、光学レンズ、フォーカス機構、シャッタ機構、及び絞り（アイリス）機構などから構成され、被写体の撮像時に入射された光（例えば、被写体からの反射光）を集光する。すなわち、光学系８１は、被写体の撮像時に入射された光を撮像素子８２の受光面に結像させる。
【００８３】
撮像素子８２は、光学系８１を介して入射する入射光を画像信号に変換する光電変換を行い、その光電変換により得られる画像信号を、AD変換部８３に供給する。なお、撮像素子８２としては、例えば、CCD(Charge Coupled Device)イメージセンサやCMOS（Complementary Metal Oxide Semiconductor）イメージセンサなどを採用することができる。
【００８４】
AD変換部８３は、撮像素子８２から供給されるアナログ信号としての画像信号をAD変換し、そのAD変換により得られるデジタル信号としての画像信号を、信号処理部８４に供給する。
【００８５】
信号処理部８４は、AD変換部８３からの画像信号に対して、例えばノイズ除去などの信号処理を施し、その信号処理により得られる撮像画像をコーデック部６２に供給する。
【００８６】
なお、第２の実施の形態では、撮像部６１が被写体を撮像することにより、コンテンツ２１anとしての撮像画像を取得する撮像装置４１を説明するが、本技術は、他の取得方法でコンテンツ２１anを取得する装置にも適用できる。
【００８７】
すなわち、例えば、番組として放送されるコンテンツ２１anを受信することにより取得するテレビジョン受像機等に、本技術を適用することができる。
【００８８】
その他、例えば、インターネット等のネットワークや外部記録媒体から、コンテンツ２１anを取得する装置にも、本技術を適用できる。
【００８９】
コーデック部６２は、制御部６３からの制御にしたがって、撮像部６１からの撮像画像に対して、例えばMPEG(Moving Picture Experts Group)方式等に基づく圧縮を行い、圧縮後の撮像画像を、記録コントローラ２２に供給する。この場合、記録コントローラ２２は、コーデック部６２からの圧縮後の撮像画像を、コンテンツ２１anとして、記録部２１に記録する。
【００９０】
また、例えば、コーデック部６２は、記録コントローラ２２から供給される圧縮後の撮像画像に対して、MPEG方式等に基づく伸張を行い、伸張後の撮像画像を、表示ドライバ６４に供給する。
【００９１】
制御部６３は、記録コントローラ２２、接続部２５、撮像部６１（光学系８１、撮像素子８２、AD変換部８３、及び信号処理部８４）、コーデック部６２、及び表示ドライバ６４を制御する。
【００９２】
また、例えば、制御部６３は、記録コントローラ２２及び接続部２５を制御することにより、図１の制御部２３と同様の処理を行う。
【００９３】
なお、制御部６３は、コーデック部６２を制御して、撮像部６１からコーデック部６２に供給される撮像画像を圧縮させずに、そのまま記録コントローラ２２に供給させるようにしてもよい。この場合、記録コントローラ２２は、制御部６３からの制御にしたがって、コーデック部６２から供給される圧縮されていない撮像画像を、コンテンツ２１anとして、記録部２１に記録する。
【００９４】
さらに、制御部６３は、接続部２５から供給される媒体識別情報２aが、記録部２１に記録済みであるか否かを判定する。
【００９５】
制御部６３は、接続部２５から供給される媒体識別情報２aが、記録部２１に記録済みではないと判定した場合、外部記録媒体２の媒体識別情報２aを、記録コントローラ２２に供給する。そして、制御部６３は、記録コントローラ２２を制御して、媒体識別情報２aを、記録部２１に記録させる。
【００９６】
また、制御部６３は、操作部２４からの操作信号に基づいて、記録部２１に記録されているコンテンツ２１anに、同じく記録部２１に記録されている媒体識別情報２aのいずれかを、記録先識別情報２１bnとして対応付ける。そして、制御部６３は、コンテンツ２１anに対応付けられた記録先識別情報２１bnを、記録コントローラ２２に供給する。このことは、図４乃至図１０を参照して詳述する。
【００９７】
さらに、制御部６３は、撮像部６１から出力される撮像画像としてのコンテンツ２１anに、予め決められた媒体識別情報を、記録先識別情報２１bnとして対応付けて、コンテンツ２１anに対応付けられた記録先識別情報２１bnを、記録コントローラ２２に供給する。このことは、図１１乃至図１３を参照して詳述する。
【００９８】
なお、記録コントローラ２２は、制御部６３からの記録先識別情報２１bnを、記録部２１に記録する。
【００９９】
制御部６３は、接続部２５から供給される媒体識別情報２aが、記録部２１に記録済みであると判定した場合、図１の制御部２３と同様の処理を行う。
【０１００】
すなわち、例えば、制御部６３は、接続部２５からの媒体識別情報２aと、記録コントローラ２２からの記録先識別情報２１bnが一致するか否かを判定する。
【０１０１】
そして、制御部６３は、接続部２５からの媒体識別情報２aと、記録コントローラ２２からの記録先識別情報２１bnが一致すると判定した場合、記録コントローラ２２及び接続部２５を制御して、コンテンツ２１anを、外部記録媒体２に記録させる。
【０１０２】
なお、コンテンツ２１anが、圧縮済みの撮像画像である場合、制御部６３は、コーデック部６２を制御して、圧縮済みの撮像画像を伸張した上で、外部記録媒体２に記録させるようにしてもよい。
【０１０３】
さらに、制御部６３は、コンテンツ２１anを表すコンテンツ表示、及び媒体識別情報２aを表す媒体表示を表示するための表示データを生成し、表示ドライバ６４に供給する。
【０１０４】
なお、制御部６３は、記録部２１に記録されているコンテンツ２１anや媒体識別情報２a、操作部２４からの操作信号等に基づいて、表示データを生成する。
【０１０５】
表示ドライバ６４は、制御部６３からの表示データに基づいて、例えば、コンテンツ表示及び媒体表示を、表示部６５に表示させる。また、表示ドライバ６４は、コーデック部６２からの撮像画像を、表示部６５に表示させる。
【０１０６】
表示部６５は、例えばLCD(Liquid Crystal Display)等であり、表示ドライバ６４からの制御にしたがって、撮像画像の他、コンテンツ表示及び媒体表示等を表示する。なお、表示部６５の表示画面については、図４乃至図８を参照して詳述する。
【０１０７】
次に、図４は、表示部６５の表示画面の一例を示している。
【０１０８】
すなわち、図４の表示画面には、コンテンツ表示１０１a1乃至１０１a5が表示されるとともに、コンテンツ表示１０１a1乃至１０１a5の下側に、媒体表示２aX乃至２aZが表示されている。
【０１０９】
ここで、コンテンツ表示１０１a1乃至１０１a5とは、それぞれ、記録部２１に記録されているコンテンツ２１a1乃至２１a5を表す表示である。例えば、コンテンツ２１a1乃至２１a5が静止画である場合、静止画を縮小した画像であるサムネイルが、コンテンツ表示１０１a1乃至１０１a5として表示される。
【０１１０】
また、媒体表示２aX乃至２aZとは、それぞれ、記録部２１に記録されている媒体識別情報２aを表す表示である。すなわち、媒体表示２aXは媒体識別情報Xを、媒体表示２aYは媒体識別情報Yを、媒体表示２aZは媒体識別情報Zをそれぞれ表す。
【０１１１】
なお、図４の例では、５個のコンテンツ表示１０１a1乃至１０１a5と、３個の媒体表示２aX乃至２aZを表示することとしたが、コンテンツ表示と媒体表示の個数や配置は、これに限定されない。このことは、図５乃至図８、図１１及び図１２についても同様である。
【０１１２】
ユーザは、図４に示される表示部６５の表示画面を参照しながら、操作部２４を用いて、記録先識別情報２１bnを、コンテンツ２１anに対応付けて、記録部２１に記録させる操作を行う。
【０１１３】
次に、図５乃至図７を参照して、ユーザの操作により、コンテンツ表示１０１a3が表すコンテンツ２１a3に、記録先識別情報２１b3として、媒体識別情報Zを対応付ける様子の一例を説明する。
【０１１４】
なお、以下では、ユーザの操作は、操作部２４を対象として行われるものとして説明する。しかしながら、例えば、表示部６５が、ユーザの指等により操作可能なタッチパネルにより構成されている場合、ユーザは、表示部６５を対象として操作を行うことができる。
【０１１５】
ユーザは、操作部２４を用いて、図５に示されるように、ポインタ１２１を、媒体表示２az上に移動させ、媒体表示２azを指定する指定操作を行う。
【０１１６】
これにより、媒体表示２azは、図５に示されるように、他の媒体表示２aX及び２aYと区別して表示される。すなわち、図５において、媒体表示２aZは、付加された斜線により強調され、他の媒体表示２aX及び２aYと区別される。
【０１１７】
なお、図５では、媒体表示２aZを強調する方法として、媒体表示２aZに斜線を付加して表示する方法を説明したが、媒体表示２aZを強調する方法は、これに限定されない。すなわち、例えば、媒体表示２azを反転表示（媒体表示２azのうち、Zを白色で表示し、Z以外を黒色で表示）により強調して表示する方法等を採用することができる。
【０１１８】
また、ユーザは、操作部２４を用いて、媒体表示２azを指示した状態でポインタ１２１を移動させるドラッグ操作を行う。これにより、図６に示されるように、ポインタ１２１とともに、媒体表示２aZを縮小した縮小媒体表示２aZ'が移動する。
【０１１９】
そして、ユーザは、ドラッグ操作により、縮小媒体表示２aZ'をコンテンツ表示１０１a3上に移動させた後、コンテンツ表示１０１a3上で媒体表示２azの指定を解除するドロップ操作を行う。これにより、図７に示されるように、コンテンツ表示１０１a3には、縮小媒体表示２az'が付加される。
【０１２０】
このとき、制御部６３は、操作部２４からの操作信号に基づいて、コンテンツ表示１０１a3が表すコンテンツ２１a3に、記録先識別情報２１b3として、媒体表示２aZが表す媒体識別情報Zを対応付ける。
【０１２１】
そして、制御部６３は、コンテンツ２１a3が対応付けられた媒体識別情報Zである記録先識別情報２１b3を、記録コントローラ２２に供給する。記録コントローラ２２は、制御部６３からの制御にしたがって、制御部６３からの記録先識別情報２１b3を、記録部２１に記録する。
【０１２２】
なお、図８では、コンテンツ表示１０１a3に、縮小媒体表示２aZ'が付加されている他、コンテンツ表示１０１a1及び１０１a5には、それぞれ、縮小媒体表示２aX'及び２aY'が付加されている。
【０１２３】
また、コンテンツ２１anには、記録先識別情報２１bnとして、１の媒体識別情報の他、複数の媒体識別情報を対応付けることができる。
【０１２４】
すなわち、例えば、ユーザが、操作部２４を用いて、図８に示されるように、コンテンツ表示１０１a2に、縮小媒体表示２aX"及び２aZ"を付加する操作を行う。
【０１２５】
このとき、制御部６３は、操作部２４からの操作信号に基づいて、コンテンツ表示１０１a2が表すコンテンツ２１a2に、記録先識別情報２１b2として、媒体表示２aX"が表す媒体識別情報Xと、媒体表示２１cZ"が表す媒体識別情報Zを対応付ける。
【０１２６】
そして、制御部６３は、コンテンツ２１a2が対応付けられた媒体識別情報X及びZをそれぞれ表す記録先識別情報２１b2を、記録コントローラ２２に供給する。記録コントローラ２２は、制御部６３からの制御にしたがって、制御部６３からの記録先識別情報２１b2を、記録部２１に記録する。
【０１２７】
[撮像装置４１の動作説明]
次に、図９のフローチャートを参照して、撮像装置４１が行う記録制御処理（以下、第２の記録制御処理という）について説明する。
【０１２８】
この第２の記録制御処理は、例えば、外部記録媒体２が、接続部２５に接続されたときに開始される。
【０１２９】
このとき、ステップＳ２１では、図２のステップＳ１と同様の処理が行われる。すなわち、接続部２５は、接続された外部記録媒体２から媒体識別情報２aを読み出すことにより取得し、制御部６３に供給する。
【０１３０】
ステップＳ２２では、制御部６３は、接続部２５からの媒体識別情報２aを、記録部２１に記録済みであるか否かを判定し、媒体識別情報２aを、記録部２１に記録済みであると判定した場合、処理をステップＳ２３に進める。
【０１３１】
ステップＳ２３乃至ステップＳ２７において、制御部６３は、図１の制御部２３と同様の処理を行う。すなわち、ステップＳ２３乃至ステップＳ２７では、図２のステップＳ２乃至ステップＳ６と同様の処理が行われる。
【０１３２】
またステップＳ２２において、制御部６３は、接続部２５からの媒体識別情報２aを、まだ記録部２１に記録済みではないと判定した場合、処理をステップＳ２８に進める。
【０１３３】
ステップＳ２８では、制御部６３は、接続部２５からの媒体識別情報２aを、記録コントローラ２２に供給する。記録コントローラ２２は、制御部６３からの媒体識別情報２aを、記録部２１に記録し、第２の記録制御処理は終了される。
【０１３４】
以上説明したように、第２の記録制御処理によれば、ステップＳ２８において、制御部６３は、接続部２５に接続される外部記録媒体２の媒体識別情報２aを、記録部２１に記録するようにした。
【０１３５】
このため、制御部６３は、記録部２１に記録した媒体識別情報２aを、記録先識別情報２１bnとして、コンテンツ２１anに対応付けることができる。このことは、図１０及び図１３のフローチャートを参照して詳述する。
【０１３６】
次に、図１０のフローチャートを参照して、撮像装置４１が行う第１の記録先決定処理について説明する。
【０１３７】
この第１の記録先決定処理は、例えば、ユーザが、操作部２４を用いて、図４に示したような表示部６５の表示画面を表示するための操作を行ったときに開始される。このとき、操作部２４は、ユーザの操作に対応する操作信号を、制御部６３に供給する。
【０１３８】
制御部６３は、操作部２４からの操作信号に基づいて、記録コントローラ２２及び表示ドライバ６４等を制御する。
【０１３９】
ステップＳ４１では、記録コントローラ２２は、制御部６３からの制御にしたがって、記録部２１から、コンテンツ２１an及び媒体識別情報２aを読み出し、制御部６３に供給する。なお、圧縮されたコンテンツ２１anは、コーデック部６２により伸張された上で、記録コントローラ２２から制御部６３に供給される。
【０１４０】
ステップＳ４２では、制御部６３は、記録コントローラ２２からのコンテンツ２１an及び媒体識別情報２aに基づいて、コンテンツ２１anを表すコンテンツ表示、及び媒体識別情報２aを表す媒体表示をそれぞれ表示するための表示データを生成し、表示ドライバ６４に供給する。
【０１４１】
ステップＳ４３では、表示ドライバ６２は、制御部６３からの表示データに基づいて、例えば図４に示したような表示画面を、表示部６５に表示させる。
【０１４２】
ステップＳ４４では、制御部６３は、操作部２４からの操作信号に基づいて、表示部６５の表示画面に表示中の媒体表示２aX乃至２aZのいずれかを指定するユーザの指定操作が行われたか否かを判定する。そして、制御部６３は、操作部２４からの操作信号に基づいて、ユーザの指定操作が行われたと判定するまで、ステップＳ４４の処理を繰り返し行う。
【０１４３】
制御部６３は、操作部２４からの操作信号に基づいて、ユーザの指定操作が行われたと判定した場合、処理をステップＳ４５に進める。
【０１４４】
ステップＳ４５では、制御部６３は、例えば図５に示されるように、媒体表示２aZを指定する指定操作が行われたと判定した場合、媒体表示２aZに対応する媒体識別情報Zを、記録先識別情報２１bnとして決定する。
【０１４５】
ステップＳ４６では、制御部６３は、操作部２４からの操作信号に基づいて、表示部６５の表示画面に表示中のコンテンツ表示１０１a1乃至１０１a5のいずれかを選択するユーザの選択操作が行われたか否かを判定する。そして、制御部６３は、操作部２４からの操作信号に基づいて、ユーザの選択操作が行われたと判定するまで、ステップＳ４６の処理を繰り返し行う。
【０１４６】
制御部６３は、操作部２４からの操作信号に基づいて、例えば、図６及び図７に示されるように、コンテンツ表示１０１a3を選択する選択操作が行われたと判定した場合、処理をステップＳ４７に進める。
【０１４７】
ステップＳ４７では、制御部６３は、ユーザの選択操作により選択されたコンテンツ表示１０１a3が表すコンテンツ２１a3に、記録先識別情報２１b3として決定した媒体識別情報Zを対応付ける。
【０１４８】
そして、制御部６３は、コンテンツ２１a3に対応付けられた記録先識別情報２１b3を、記録コントローラ２２に供給する。記録コントローラ２２は、制御部６３からの記録先識別情報２１b3を、記録部２１に記録し、処理をステップＳ４４に戻す。ステップＳ４４では、それ以降、同様の処理が行われ、ステップＳ４４乃至ステップＳ４７の処理を繰り返すことにより、表示部６５の表示画面は、例えば図８に示したような表示画面とされる。
【０１４９】
なお、第１の記録先決定処理は、例えば、ユーザが、操作部２４を用いて、図４乃至図８に示したような表示画面の表示を終了するための操作を行ったときに終了される。
【０１５０】
以上説明したように、第１の記録先決定処理によれば、ユーザの操作に応じて、コンテンツ２１anの記録先を識別する記録先識別情報２１bnを、コンテンツ２１anに対応付けた形で、記録部２１に記録するようにした。
【０１５１】
このため、第１の記録先決定処理によれば、記録部２１に記録されているコンテンツ２１anの記録先を、ユーザが所望する外部記録媒体２に設定することが可能となる。
【０１５２】
なお、第２の実施の形態では、ユーザの操作に応じて、図４乃至図８に示したように、記録部２１に記録済みのコンテンツ２１anに、記録先識別情報２１bnを対応付けるようにした。しかしながら、コンテンツ２１anと記録先識別情報２１bnを対応付ける方法は、これに限定されない。
【０１５３】
すなわち、例えば、制御部６３は、撮像部６１から出力される撮像画像としてのコンテンツ２１anに対応付ける記録先識別情報２１bnを予め決定することができる。
【０１５４】
次に、図１１は、媒体識別情報２aを表示したときの表示部６５の表示画面の一例を示している。
【０１５５】
すなわち、図１１の表示画面には、例えば、撮像時の構図を確認するためのスルー画を背景として、媒体表示２aX乃至２aZが表示されている。
【０１５６】
次に、図１２は、ユーザの指定操作により、媒体表示２aXが指定されたときの表示画面の一例を示している。
【０１５７】
ユーザは、操作部２４を用いて、媒体表示２aXを指定する指定操作を行う。
【０１５８】
これにより、媒体表示２aXは、図１２に示されるように、他の媒体表示２aY及び２aZと区別して表示される。すなわち、図１２において、媒体表示２aXは、付加された斜線により強調され、他の媒体表示２aY及び２aZと区別される。
【０１５９】
なお、図１２では、媒体表示２aXを強調する方法として、媒体表示２aZに斜線を付加して表示する方法を説明したが、媒体表示２aXを強調する方法は、これに限定されない。すなわち、例えば、媒体表示２aXを反転表示（媒体表示２aXのうち、Xを白色で表示し、X以外を黒色で表示）により強調して表示する方法等を採用することができる。
【０１６０】
制御部６３は、操作部２４からの操作信号に基づいて、媒体表示２aXが表す媒体識別情報Xを、記録先識別情報２１bnに決定する。そして、制御部６３は、決定した記録先識別情報２１bnを、撮像部６１から出力される撮像画像としてのコンテンツ２１anに対応付けて、記録コントローラ２２に供給する。
【０１６１】
記録コントローラ２２は、制御部６３からの記録先識別情報２１bnを、記録部２１に記録する。
【０１６２】
次に、図１３のフローチャートを参照して、撮像装置４１が行う第２の記録先決定処理について説明する。
【０１６３】
この第２の記録先決定処理は、例えば、ユーザが、操作部２４を用いて、図１１に示したような表示部６５の表示画面を表示するための操作を行ったときに開始される。このとき、操作部２４は、ユーザの操作に対応する操作信号を、制御部６３に供給する。
【０１６４】
制御部６３は、操作部２４からの操作信号に基づいて、記録コントローラ２２及び表示ドライバ６４等を制御する。
【０１６５】
ステップＳ６１では、記録コントローラ２２は、記録部２１から、媒体識別情報２aとして、例えば媒体識別情報X,Y,Zを読み出し、制御部６３に供給する。
【０１６６】
ステップＳ６２では、制御部６３は、記録コントローラ２２からの媒体識別情報２aに基づいて、媒体識別情報２aが表す媒体表示を表示するための表示データを生成し、表示ドライバ６４に供給する。
【０１６７】
ステップＳ６３では、表示ドライバ６２は、制御部６３からの表示データに基づいて、例えば図１１に示されるように、媒体表示２aX乃至２aZが表示された表示画面を、表示部６５に表示させる。
【０１６８】
ステップＳ６４では、制御部６３は、操作部２４からの操作信号に基づいて、表示部６５の表示画面に表示中の媒体表示２aX乃至２aZのいずれかを指定するユーザの指定操作が行われたか否かを判定する。そして、制御部６３は、操作部２４からの操作信号に基づいて、ユーザの指定操作が行われたと判定するまで、ステップＳ６４の処理を繰り返し行う。
【０１６９】
制御部６３は、操作部２４からの操作信号に基づいて、ユーザの指定操作が行われたと判定した場合、処理をステップＳ６５に進める。
【０１７０】
ステップＳ６５では、制御部６３は、例えば、ユーザの指定操作により、媒体表示２aXが指定された場合、媒体表示２aXに対応する媒体識別情報Xを、記録先識別情報２１bnに決定する。そして、制御部６３は、操作部２４から供給される、ユーザの指定操作に対応する操作信号に基づいて、図１２に示したような表示画面を表示するための表示データを生成し、表示ドライバ６４に供給する。表示ドライバ６４は、制御部６３からの表示データに基づいて、図１２に示したような表示画面を、表示部６５に表示させる。
【０１７１】
また、制御部６３は、操作部２４からの操作信号に基づいて、撮像部６１の撮像を開始するための操作が行われたと判別したときに、処理をステップＳ６６に進める。
【０１７２】
ステップＳ６６では、撮像部６１は、被写体の撮像を行い、その撮像により得られる撮像画像を、コンテンツ２１nとして、コーデック部６２に供給する。
【０１７３】
ステップＳ６７では、コーデック部６２は、撮像部６１からのコンテンツ２１nを圧縮し、記録コントローラ２２に供給する。記録コントローラ２２は、コーデック部６２からのコンテンツ２１nを、記録部２１に記録する。
【０１７４】
ステップＳ６８では、制御部６３は、ステップＳ６５の処理で決定した記録先識別情報２１bnを、撮像部６１から出力されるコンテンツ２１anに対応付けた状態で、記録コントローラ２２に供給する。
【０１７５】
記録コントローラ２２は、制御部６３からの記録先識別情報２１bnを、記録部２１に記録し、処理をステップＳ６６に戻し、それ以降、同様の処理が行われる。
【０１７６】
なお、この第２の記録先決定処理は、例えば、ユーザが、操作部２４を用いて、撮像部６１の撮像を中止するための操作を行ったとき等に終了される。
【０１７７】
以上説明したように、第２の記録先決定処理によれば、撮像時に得られる撮像画像の記録先を、予め決定するようにしたので、撮像部６１から出力される撮像画像の記録先を、１枚ずつ決定する手間を省くことができる。
【０１７８】
＜３．変形例＞
第１及び第２の実施の形態では、外部記録媒体２の媒体識別情報２aと記録先識別情報２１bnが一致する場合、接続部２５が、記録部２１に記録されているコンテンツ２１anを、外部記録媒体２に記録するようにした。
【０１７９】
しかしながら、コンテンツ２１anの記録対象は、接続部２５に接続される外部記録媒体２に限定されず、例えば、記録制御装置１や撮像装置４１に内蔵される内部記録媒体を、コンテンツ２１anの記録対象とすることができる。
【０１８０】
この場合、内部記録媒体には、外部記録媒体２と同様に、内部記録媒体を識別する媒体識別情報が記録される。
【０１８１】
また、第１及び第２の実施の形態では、外部記録媒体２に、外部記録媒体２を識別する媒体識別情報２aが記録されているようにした。
【０１８２】
しかしながら、外部記録媒体２には、媒体識別情報２aの他、外部記録媒体２に設けられた複数のフォルダ（ディレクトリ）のうち、コンテンツ２１anを記録するためのフォルダを識別するフォルダ識別情報も記録しておくことができる。
【０１８３】
この場合、接続部２５は、外部記録媒体２から、媒体識別情報２aとともに、フォルダ識別情報も読み出すことにより取得する。そして、接続部２５は、取得した媒体識別情報２aと記録先識別情報２１bnが一致する場合、同じく取得したフォルダ識別情報により識別されるフォルダに、コンテンツ２１anを記録することとなる。
【０１８４】
なお、コンテンツ２１anを記録するフォルダは、例えば、外部記録媒体２のユーザにより設定され、外部記録媒体２のユーザの設定に応じて、外部記録媒体２には、フォルダ識別情報が記録される。
【０１８５】
ところで、本技術は、以下のような構成をとることができる。
（１）記録媒体を識別する媒体識別情報と、コンテンツの記録先である記録媒体を識別する記録先識別情報を取得する取得部と、前記媒体識別情報と前記記録先識別情報が一致する場合に、前記コンテンツを前記記録媒体に記録させる記録制御部とを含む記録制御装置。
（２）前記取得部により取得済みの前記媒体識別情報を、前記コンテンツに対応付けられた前記記録先識別情報として、前記記録部に書き込む書き込み部をさらに含む前記（１）に記載の記録制御装置。
（３）前記書き込み部は、前記取得部により取得済みの前記媒体識別情報を、複数のコンテンツの中から選択されたコンテンツに対応付けられた前記記録先識別情報として、前記記録部に書き込む前記（２）に記載の記録制御装置。
（４）コンテンツを取得するコンテンツ取得部をさらに含み、前記書き込み部は、前記取得部により取得済みの前記媒体識別情報のうち、前記コンテンツの取得前に指定された前記媒体識別情報を、前記コンテンツ取得部から取得される前記コンテンツに対応付けられた前記記録先識別情報として、前記記録部に書き込む前記（２）に記載の記録制御装置。
（５）前記コンテンツ取得部は、被写体の撮像を行うことにより、前記コンテンツを取得する撮像部である前記（４）に記載の記録制御装置。
（６）前記取得部は、前記記録媒体が接続されたことに対応して、前記記録媒体から前記媒体識別情報を取得する前記（１）乃至（５）に記載の記録制御装置。
（７）前記取得部は、前記記録媒体を接続可能な接続口であり、前記接続口に前記記録媒体が接続されたことに対応して、前記記録媒体から前記媒体識別情報を取得する前記（６）に記載の記録制御装置。
（８）前記取得部は、前記記録媒体に設けられた複数のフォルダのうち、前記コンテンツの記録先とされるフォルダを識別するフォルダ識別情報も取得し、前記記録制御部は、前記媒体識別情報と前記記録先識別情報が一致する場合に、前記コンテンツを、前記フォルダ識別情報により識別されるフォルダに記録させる前記（１）乃至（７）に記載の記録制御装置。
（９）前記記録制御部は、前記媒体識別情報と前記記録先識別情報が一致する場合に、前記コンテンツを複製して前記記録媒体に記録させる前記（１）乃至（８）に記載の記録制御装置。
（１０）前記記録制御部は、前記媒体識別情報と前記記録先識別情報が一致する場合に、前記コンテンツを移動して前記記録媒体に記録させる前記（１）乃至（８）に記載の記録制御装置。
（１１）記録媒体にコンテンツを記録させる記録制御装置の記録制御方法において、前記記録制御装置による、記録媒体を識別する媒体識別情報を取得する第１の取得ステップと、コンテンツの記録先である記録媒体を識別する記録先識別情報を取得する第２の取得ステップと、前記媒体識別情報と前記記録先識別情報が一致する場合に、前記コンテンツを前記記録媒体に記録させる記録制御ステップとを含む記録制御方法。
（１２）コンピュータを、記録媒体を識別する媒体識別情報を取得することと、コンテンツの記録先である記録媒体を識別する記録先識別情報を取得することを制御する取得制御部と、前記媒体識別情報と前記記録先識別情報が一致する場合に、前記コンテンツを前記記録媒体に記録させる記録制御部として機能させるためのプログラム。
【０１８６】
上述した一連の処理は、例えばハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、又は、各種のプログラムをインストールすることで、各種の機能を実行することが可能な、例えば汎用のコンピュータなどに、プログラム記録媒体からインストールされる。
【０１８７】
[コンピュータの構成例]
図１４は、上述した一連の処理をプログラムにより実行するコンピュータの構成例を示している。
【０１８８】
CPU２０１は、ROM（Read Only Memory）２０２、又は記憶部２０８に記憶されているプログラムに従って各種の処理を実行する。RAM（Random Access Memory）２０３には、CPU２０１が実行するプログラムやデータ等が適宜記憶される。これらのCPU２０１、ROM２０２、及びRAM２０３は、バス２０４により相互に接続されている。
【０１８９】
CPU２０１にはまた、バス２０４を介して入出力インタフェース２０５が接続されている。入出力インタフェース２０５には、キーボード、マウス、マイクロホン等よりなる入力部２０６、ディスプレイ、スピーカ等よりなる出力部２０７が接続されている。CPU２０１は、入力部２０６から入力される指令に対応して各種の処理を実行する。そして、CPU２０１は、処理の結果を出力部２０７に出力する。
【０１９０】
入出力インタフェース２０５に接続されている記憶部２０８は、例えばハードディスクからなり、CPU２０１が実行するプログラムや各種のデータを記憶する。通信部２０９は、インタネットやローカルエリアネットワーク等のネットワークを介して外部の装置と通信する。
【０１９１】
また、通信部２０９を介してプログラムを取得し、記憶部２０８に記憶してもよい。
【０１９２】
入出力インタフェース２０５に接続されている接続部２１０は、磁気ディスク、光ディスク、光磁気ディスク、或いは半導体メモリ等のリムーバブルメディア２１１が装着されたとき、それらを駆動し、そこに記録されているプログラムやデータ等を取得する。取得されたプログラムやデータは、必要に応じて記憶部２０８に転送され、記憶される。
【０１９３】
コンピュータにインストールされ、コンピュータによって実行可能な状態とされるプログラムを記録（記憶）する記録媒体は、図１４に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリ等よりなるパッケージメディアであるリムーバブルメディア２１１、又は、プログラムが一時的もしくは永続的に格納されるROM２０２や、記憶部２０８を構成するハードディスク等により構成される。記録媒体へのプログラムの記録は、必要に応じてルータ、モデム等のインタフェースである通信部２０９を介して、ローカルエリアネットワーク、インタネット、デジタル衛星放送といった、有線又は無線の通信媒体を利用して行われる。
【０１９４】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【０１９５】
また、本開示は、上述した第１及び第２の実施の形態に限定されるものではなく、本開示の要旨を逸脱しない範囲において種々の変更が可能である。
【符号の説明】
【０１９６】
１  記録制御装置，  ２  外部記録媒体，  ２a  媒体識別情報，  ２１  記録部，  ２１an  コンテンツ，  ２１bn  記録先識別情報，  ２２  記録コントローラ，  ２３  制御部，  ２４  操作部，  ２５  接続部，  ４１  撮像装置，  ６１  撮像部，  ６２  コーデック部，  ６３  制御部，  ６４  表示ドライバ，  ６５  表示部，  ８１  光学系，  ８２  撮像素子，  ８３  AD変換部，  ８４  信号処理部
【図１】
2014042085.tif 000003
【図２】
2014042085.tif 000004
【図３】
2014042085.tif 000005
【図４】
2014042085.tif 000006
【図５】
2014042085.tif 000007
【図６】
2014042085.tif 000008
【図７】
2014042085.tif 000009
【図８】
2014042085.tif 000010
【図９】
2014042085.tif 000011
【図１０】
2014042085.tif 000012
【図１１】
2014042085.tif 000013
【図１２】
2014042085.tif 000014
【図１３】
2014042085.tif 000015
【図１４】
2014042085.tif 000016